(57)【要約】【課題】  ＰＷＭ信号からＰＷＭ信号の同期信号を発生する。【解決手段】  三角波発生回路１０１は、ＰＷＭ信号ＰＷＭＩＮの立ち上がりエッジに応じて、一定の時間勾配で上昇する過程と一定の時間勾配で低下する過程を交互に繰り返す正逆２相の三角波信号ＴＲＩＡおよびＴＲＩＢと、ＰＷＭ信号ＰＷＭＩＮの立ち下がりエッジに応じて、一定の時間勾配で上昇する過程と一定の時間勾配で低下する過程を交互に繰り返す三角波信号ＴＲＩＣとをＰＷＭ信号ＰＷＭＩＮから発生する。コンパレータ１２１は、三角波信号ＴＲＩＡと三角波信号ＴＲＩＣとのレベル比較結果を示すパルスＰＤを出力する。コンパレータ１２２は、三角波信号ＴＲＩＢと三角波信号ＴＲＩＣとのレベル比較結果を示すパルスＰＥを出力する。ＸＮＲゲート１３０は、パルスＰＤおよびＰＥのレベルが一致するか否かによりレベル反転するパルスを生成し、同期信号ＳＹＮＣとして出力する。【選択図】図１
2010283627.tif 000002
【特許請求の範囲】
【請求項１】
入力されるパルス幅変調信号に第１のレベル遷移が生じるのに応じて、一定の時間勾配で上昇する過程と一定の時間勾配で低下する過程を交互に繰り返す第１の三角波信号と、前記第１の三角波信号と逆相関係にある第２の三角波信号と、前記第１のレベル遷移の逆方向のレベル遷移である第２のレベル遷移が前記パルス幅変調信号に生じるのに応じて、一定の時間勾配で上昇する過程と一定の時間勾配で低下する過程を交互に繰り返す第３の三角波信号とを前記パルス幅変調信号から発生する三角波発生手段と、
前記第１の三角波信号と前記第３の三角波信号とのレベル比較を行い、比較結果を示す第１のパルスを出力する第１の比較手段と、
前記第２の三角波信号と前記第３の三角波信号とのレベル比較を行い、比較結果を示す第２のパルスを出力する第２の比較手段と、
前記第１のパルスと前記第２のパルスのレベルが一致するか否かによりレベル反転するパルスを生成し、前記パルス幅変調信号の同期信号として出力する出力手段と
を具備することを特徴とする同期信号発生回路。
【発明の詳細な説明】
【技術分野】
【０００１】
この発明は、ＰＷＭ（Pulse Width Modulation；パルス幅変調）信号に同期した同期信号を発生する同期信号発生回路に関する。
【背景技術】
【０００２】
Ｄ級増幅器は、入力信号に応じてパルス幅変調されたＰＷＭ信号を生成し、このＰＷＭ信号により負荷を駆動するアンプである（例えば特許文献１参照）。このＤ級増幅器は、エネルギー効率が高いという利点を有しており、オーディオ機器等においてスピーカを駆動するパワーアンプとして用いられる場合が多い。
【先行技術文献】
【特許文献】
【０００３】
【特許文献１】特開２００７−１２４６２５号公報
【発明の開示】
【発明が解決しようとする課題】
【０００４】
ところで、ゲインを一定に保つ等の理由により、ＰＷＭ信号の個々のパルス幅を負荷を駆動する回路の電源電圧に合わせて一律に調整（例えばパルス幅をｋ倍にする）する必要が生じる場合がある。このような要求に対処するための手段として、例えばＰＷＭ信号（以下、入力ＰＷＭ信号という）を変調前のアナログ信号に戻し、このアナログ信号のＰＷＭ信号（以下、出力ＰＷＭ信号という）への変換を再度行うといった手段が考えられる。しかし、この手段を採るとした場合、アナログ信号から出力ＰＷＭ信号への変換を行うのに出力ＰＷＭ信号の発生タイミングを指示する同期信号が必要となる。ここで、入力ＰＷＭ信号から得られたアナログ信号は、元の入力ＰＷＭ信号に同期した雑音成分を含んでいる。このため、アナログ信号から出力ＰＷＭ信号を得るために用いる同期信号が元の入力ＰＷＭ信号に同期していないと、出力ＰＷＭ信号にビートが発生する。このようなビートの発生を防止するには、入力ＰＷＭ信号の発生元である回路から入力ＰＷＭ信号の発生に用いた同期信号を取得し、この同期信号を用いてアナログ信号から出力ＰＷＭ信号への変換を行えばよい。しかし、そのような同期信号を入力ＰＷＭ信号の発生元である回路から取得することができない場合もある。
【０００５】
この発明は、以上説明した事情に鑑みてなされたものであり、ＰＷＭ信号からそのＰＷＭ信号に同期した同期信号を発生することができる同期信号発生回路を提供することを目的とする。
【課題を解決するための手段】
【０００６】
この発明は、入力されるパルス幅変調信号に第１のレベル遷移が生じるのに応じて、一定の時間勾配で上昇する過程と一定の時間勾配で低下する過程を交互に繰り返す第１の三角波信号と、前記第１の三角波信号と逆相関係にある第２の三角波信号と、前記第１のレベル遷移の逆方向のレベル遷移である第２のレベル遷移が前記パルス幅変調信号に生じるのに応じて、一定の時間勾配で上昇する過程と一定の時間勾配で低下する過程を交互に繰り返す第３の三角波信号とを前記パルス幅変調信号から発生する三角波発生手段と、前記第１の三角波信号と前記第３の三角波信号とのレベル比較を行い、比較結果を示す第１のパルスを出力する第１の比較手段と、前記第２の三角波信号と前記第３の三角波信号とのレベル比較を行い、比較結果を示す第２のパルスを出力する第２の比較手段と、前記第１のパルスと前記第２のパルスのレベルが一致するか否かによりレベル反転するパルスを生成し、前記パルス幅変調信号の同期信号として出力する出力手段とを具備することを特徴とする同期信号発生回路を提供する。
【０００７】
かかる発明によれば、パルス幅変調信号がＨレベルまたはＬレベルを維持する期間の中央において第１の三角波信号と第３の三角波信号の大小関係の切り換わり、パルス幅変調信号がＬレベルまたはＨレベルを維持する期間の中央において第２の三角波信号と第３の三角波信号の大小関係の切り換わりが発生する。このため、同期信号は、パルス幅変調信号がＨレベルを維持する期間の中央、パルス幅変調信号がＬレベルを維持する期間の中央においてレベル反転し、パルス幅変調信号に同期したパルスとなる。
【図面の簡単な説明】
【０００８】
【図１】この発明の一実施形態である同期信号発生回路を備えたＤ級増幅器の構成を示す回路図である。
【図２】同実施形態の各部の信号波形を示す図である。
【図３】同実施形態の各部の信号波形を示す図である。
【発明を実施するための形態】
【０００９】
以下、図面を参照し、この発明の実施の形態を説明する。
図１は、この発明の一実施形態である同期信号発生回路１００と再変調回路２００とにより構成されたＤ級増幅器の構成を示す回路図である。このＤ級増幅器には、図示しないＰＷＭ回路が出力するＰＷＭ信号ＰＷＭＩＮが入力される。このＰＷＭ信号ＰＷＭＩＮは、入力信号に応じてパルス幅変調されたパルスの列であり、このパルスの列における個々のパルスは、時間軸上において一定の時間間隔で並んだサンプリング点の前後に同じ時間幅だけ膨らんだパルスとなっている。本実施形態による同期信号発生回路１００は、このＰＷＭ信号ＰＷＭＩＮのサンプリング点に同期した同期信号ＳＹＮＣをＰＷＭ信号ＰＷＭＩＮから発生する回路である。また、再変調回路２００は、ＰＷＭ信号ＰＷＭＩＮおよび同期信号ＳＹＮＣに基づき、同期信号ＳＹＮＣに同期し、かつ、元のＰＷＭ信号ＰＷＭＩＮのパルス幅に指定された倍率を乗算したパルス幅を持ったＰＷＭ信号ＰＷＭＯＵＴを発生して出力する回路である。
【００１０】
再変調回路２００としては、各種の構成のものが考えられるが、例えば図示のように、ＰＷＭ信号ＰＷＭＩＮのパルス幅に応じた変調信号（アナログ信号）を発生するローパスフィルタ等の復調回路２０１と、同期信号ＳＹＮＣに同期した三角波信号を発生する三角波発生回路２０２と、この三角波信号とアナログ信号とのレベル比較によりＰＷＭ信号ＰＷＭＯＵＴを発生するＰＷＭ回路２０３とにより構成してもよい。
【００１１】
本実施形態による同期信号発生回路１００は、図１に示すように、三角波発生回路１０１と、コンパレータ１２１および１２２と、ＸＮＲゲート１３０とにより構成されている。三角波発生回路１０１は、ＰＷＭ信号ＰＷＭＩＮに第１のレベル遷移、具体的には立ち上がりエッジが生じるのに応じて、一定の時間勾配で上昇する過程と一定の時間勾配で低下する過程を交互に繰り返す三角波信号ＴＲＩＡと、この三角波信号ＴＲＩＡと逆相関係にある三角波信号ＴＲＩＢと、第１のレベル遷移の逆方向のレベル遷移である第２のレベル遷移、具体的には立ち下がりエッジがＰＷＭ信号ＰＷＭＩＮに生じるのに応じて、一定の時間勾配で上昇する過程と一定の時間勾配で低下する過程を交互に繰り返す三角波信号ＴＲＩＣとをＰＷＭ信号ＰＷＭＩＮから発生する三角波発生手段である。
【００１２】
さらに詳述すると、この三角波発生回路１０１は、ＰＷＭ信号ＰＷＭＩＮに立ち上がりエッジが生じる度に各々レベル反転する正逆２相のパルスＰＡおよびＰＢを出力する分周器１０２と、ＰＷＭ信号ＰＷＭＩＮに立ち下がりエッジが生じる度にレベル反転するパルスＰＣを出力する分周器１０３と、パルスＰＡに応じて三角波信号ＴＲＩＡを発生する三角波発生部１１０Ａと、パルスＰＢに応じて三角波信号ＴＲＩＢを発生する三角波発生部１１０Ｂと、パルスＰＣに応じて三角波信号ＴＲＩＣを発生する三角波発生部１１０Ｃとにより構成されている。
【００１３】
三角波発生部１１０Ａは、図示のように電源ＶＤＤおよび接地間に直列に介挿されたスイッチ１１１、定電流源１１２および１１３、スイッチ１１４と、定電流源１１２および１１３の共通接続点と接地との間に介挿されたキャパシタ１１５とにより構成されている。この構成において、スイッチ１１１はＰチャネルのＭＯＳＦＥＴ（Metal Oxide Semiconductor Field Effect Transistor；金属−酸化膜−半導体構造の電界効果トランジスタ）、スイッチ１１４はＮチャネルＭＯＳＦＥＴであり、これらの各ＭＯＳＦＥＴのゲートにはパルスＰＡが供給される。パルスＰＡがＨレベルである期間は、スイッチ１１４がＯＮ、スイッチ１１１がＯＦＦとなるため、定電流源１１３によるキャパシタ１１５の放電が行われ、三角波信号ＴＲＩＡは定電流源１１３の電流値とキャパシタ１１５の容量値により決定される一定の時間勾配で直線的に低下する。一方、パルスＰＡがＬレベルである期間は、スイッチ１１１がＯＮ、スイッチ１１４がＯＦＦとなるため、定電流源１１２によるキャパシタ１１５の充電が行われ、三角波信号ＴＲＩＡは定電流源１１２の電流値とキャパシタ１１５の容量値により決定される一定の時間勾配で直線的に上昇する。ここで、定電流源１１２および１１３は、同じ電流値の定電流源である。従って、三角波信号ＴＲＩＡが上昇するときの時間勾配と、低下するときの時間勾配は、大きさが同じで符号が異なった勾配となる。
【００１４】
三角波発生部１１０Ｂおよび１１０Ｃも三角波発生部１１０Ａと同じ構成である。三角波発生部１１０Ｂは、パルスＰＢがＨレベルである期間、三角波信号ＴＲＩＢを一定の時間勾配で直線的に低下させ、パルスＰＢがＬレベルである期間、三角波信号ＴＲＩＢを一定の時間勾配で直線的に上昇させる。また、三角波発生部１１０Ｃは、パルスＰＣがＨレベルである期間、三角波信号ＴＲＩＣを一定の時間勾配で直線的に低下させ、パルスＰＣがＬレベルである期間、三角波信号ＴＲＩＣを一定の時間勾配で直線的に上昇させる。三角波発生部１１０Ａ、１１０Ｂおよび１１０Ｃにおいて、定電流源１１２の電流値、定電流源１１３の電流値、キャパシタ１１５の容量値は同じである。このため、三角波信号ＴＲＩＡ、ＴＲＩＢおよびＴＲＩＣは、各々の上昇過程における時間勾配が互いに等しく、各々の低下過程における時間勾配も互いに等しく、各々の上昇過程における時間勾配の絶対値と低下過程における時間勾配の絶対値は互いに等しい。
【００１５】
コンパレータ１２１は、三角波信号ＴＲＩＡと三角波信号ＴＲＩＣとのレベル比較を行い、ＴＲＩＡ＞ＴＲＩＣである期間はＨレベル、それ以外の期間はＬレベルとなるパルスＰＤを出力する第１の比較手段である。コンパレータ１２２は、三角波信号ＴＲＩＢと三角波信号ＴＲＩＣとのレベル比較を行い、ＴＲＩＢ＞ＴＲＩＣである期間はＨレベル、それ以外の期間はＬレベルとなるパルスＰＥを出力する第２の比較手段である。そして、ＸＮＲゲート１３０は、パルスＰＤとパルスＰＥのレベルが一致するか否かによりレベル反転するパルス、具体的にはパルスＰＤとパルスＰＥのレベルが一致する期間はＨレベル、それ以外の期間はＬレベルとなるパルスを発生し、同期信号ＳＹＮＣとして再変調回路２００へ出力する出力手段である。
【００１６】
図２は、５０％よりも小さいデューティ比を有するＰＷＭ信号ＰＷＭＩＮが同期信号発生回路１００に与えられた場合の各部の信号波形を示す図であり、図３は、５０％よりも大きいデューティ比を有するＰＷＭ信号ＰＷＭＩＮが同期信号発生回路１００に与えられた場合の各部の信号波形を示す図である。以下、これらの図を参照し、本実施形態の動作を説明する。
【００１７】
図２および図３において、最上段に並んだ下向き矢印の各々は、ＰＷＭ信号ＰＷＭＩＮのサンプリング点を各々示している。図示のように、ＰＷＭ信号ＰＷＭＩＮは、サンプリング点に対して前後に同じ時間だけ膨らんだパルスの列となる。
【００１８】
分周器１０２は、ＰＷＭ信号ＰＷＭＩＮに立ち上がりエッジが生じる度に、正逆２相のパルスＰＡおよびＰＢの各々をレベル反転させる。パルスＰＡ（ＰＢ）がＨレベルである期間、三角波信号ＴＲＩＡ（ＴＲＩＢ）は一定の時間勾配で直線的に低下し、パルスＰＡ（ＰＢ）がＬレベルである期間、三角波信号ＴＲＩＡ（ＴＲＩＢ）は一定の時間勾配で直線的に上昇する。一方、分周器１０３は、ＰＷＭ信号ＰＷＭＩＮに立ち下がりエッジが生じる度に、パルスＰＣをレベル反転させる。パルスＰＣがＨレベルである期間は、三角波信号ＴＲＩＣは一定の時間勾配で直線的に低下し、パルスＰＣがＬレベルである期間は、三角波信号ＴＲＩＣは一定の時間勾配で直線的に上昇する。
【００１９】
本実施形態では、同期信号発生回路１００が動作を開始した後、図示しない初期設定回路の働きにより、三角波発生部１１０Ａ、１１０Ｂおよび１１０Ｃの各スイッチ１１２が最初にＯＮとなる直前に、キャパシタ１１５の電圧を０Ｖに初期化する動作が行われる。このため、三角波信号ＴＲＩＡ、ＴＲＩＢおよびＴＲＩＣの各々は、図示のように０Ｖから所定電圧ＶＰまでの範囲内において一定の時間勾配で上昇と低下を繰り返すこととなる。ここで、電圧ＶＰは、ＰＷＭ信号ＰＷＭＩＮの周期と定電流源１１２および１１３の電流値との積をキャパシタ１１５の容量値により除算した値となる。
【００２０】
このように、本実施形態において三角波信号ＴＲＩＡ、ＴＲＩＢおよびＴＲＩＣは、０Ｖから所定電圧ＶＰまでの範囲内において一定の時間勾配での上昇と低下を繰り返す。また、三角波信号ＴＲＩＡ（ＴＲＩＢ）は、ＰＷＭ信号ＰＷＭＩＮの立ち上がりエッジによりパルスＰＡ（ＰＢ）がＬレベルからＨレベルに転じたときに上昇傾向から低下傾向に転じ、ＰＷＭ信号ＰＷＭＩＮの立ち上がりエッジによりパルスＰＡ（ＰＢ）がＨレベルからＬレベルに転じたときに低下傾向から上昇傾向に転じる。また、三角波信号ＴＲＩＣは、ＰＷＭ信号ＰＷＭＩＮの立ち下がりエッジによりパルスＰＣがＬレベルからＨレベルに転じたときに低下傾向から上昇傾向に転じ、ＰＷＭ信号ＰＷＭＩＮの立ち下がりエッジによりパルスＰＣがＨレベルからＬレベルに転じたときに上昇傾向から低下傾向に転じる。このため、サンプリング点において三角波信号ＴＲＩＡと三角波信号ＴＲＩＣとの交差および三角波信号ＴＲＩＢと三角波信号ＴＲＩＣとの交差が生じることとなる。以下、この点について詳述する。
【００２１】
まず、図２および図３に示す例において、最初にＰＷＭ信号ＰＷＭＩＮがＨレベルとなる期間ａに着目する。この期間ａでは、パルスＰＡがＨレベル、パルスＰＢがＬレベル、パルスＰＣがＨレベルとなる。この期間ａの始点であるＰＷＭ信号ＰＷＭＩＮの立ち上がりエッジのタイミングでは、三角波信号ＴＲＩＡが所定電圧ＶＰから一定の時間勾配で低下し始め、この期間ａの終点であるＰＷＭ信号ＰＷＭＩＮの立ち下がりエッジのタイミングでは、それまで一定の時間勾配で上昇してきた三角波信号ＴＲＩＣが所定電圧ＶＰに到達する。このため、ＰＷＭ信号ＰＷＭＩＮがＨレベルを維持する期間ａの中央のサンプリング点を境に、三角波信号ＴＲＩＡおよびＴＲＩＣの大小関係がＴＲＩＡ＞ＴＲＩＣからＴＲＩＡ＜ＴＲＩＣに切り換わり、パルスＰＤがＨレベルからＬレベルに切り換わる。
【００２２】
次に、図２および図３に示す例において、２番目にＰＷＭ信号ＰＷＭＩＮがＨレベルとなる期間ｂに着目する。この期間ｂでは、パルスＰＡがＬレベル、パルスＰＢがＨレベル、パルスＰＣがＬレベルとなる。この期間ｂの始点であるＰＷＭ信号ＰＷＭＩＮの立ち上がりエッジのタイミングでは、三角波信号ＴＲＩＡが０Ｖから一定の時間勾配で上昇し始め、この期間ｂの終点であるＰＷＭ信号ＰＷＭＩＮの立ち下がりエッジのタイミングでは、それまで一定の時間勾配で低下してきた三角波信号ＴＲＩＣが０Ｖに到達する。このため、ＰＷＭ信号ＰＷＭＩＮがＨレベルを維持する期間ｂの中央のサンプリング点を境に、三角波信号ＴＲＩＡおよびＴＲＩＣの大小関係がＴＲＩＡ＜ＴＲＩＣからＴＲＩＡ＞ＴＲＩＣに切り換わり、パルスＰＤがＬレベルからＨレベルに切り換わる。
このようにパルスＰＤは、ＰＷＭ信号ＰＷＭＩＮのデューティ比とは無関係に、ＰＷＭ信号ＰＷＭＩＮがＨレベルを維持する期間の中央のサンプリング点においてレベル反転するパルスとなる。
【００２３】
次に、図２および図３に示す例において、期間ａの後、ＰＷＭ信号ＰＷＭＩＮがＬレベルとなる期間ｃに着目する。この期間ｃでは、パルスＰＡがＨレベル、パルスＰＢがＬレベル、パルスＰＣがＬレベルとなる。この期間ｃの始点であるＰＷＭ信号ＰＷＭＩＮの立ち下がりエッジのタイミングでは、三角波信号ＴＲＩＣが所定電圧ＶＰから一定の時間勾配で低下し始め、この期間ｃの終点であるＰＷＭ信号ＰＷＭＩＮの立ち上がりエッジのタイミングでは、それまで一定の時間勾配で上昇してきた三角波信号ＴＲＩＢが所定電圧ＶＰに到達する。このため、ＰＷＭ信号ＰＷＭＩＮがＬレベルを維持する期間ｃの中央のサンプリング点を境に、三角波信号ＴＲＩＢおよびＴＲＩＣの大小関係がＴＲＩＢ＜ＴＲＩＣからＴＲＩＢ＞ＴＲＩＣに切り換わり、パルスＰＥがＬレベルからＨレベルに切り換わる。
【００２４】
次に、図２および図３に示す例において、期間ｂの後、ＰＷＭ信号ＰＷＭＩＮがＬレベルとなる期間ｄに着目する。この期間ｄでは、パルスＰＡがＬレベル、パルスＰＢがＨレベル、パルスＰＣがＨレベルとなる。この期間ｄの始点であるＰＷＭ信号ＰＷＭＩＮの立ち下がりエッジのタイミングでは、三角波信号ＴＲＩＣが０Ｖから一定の時間勾配で上昇し始め、この期間ｄの終点であるＰＷＭ信号ＰＷＭＩＮの立ち上がりエッジのタイミングでは、それまで一定の時間勾配で低下してきた三角波信号ＴＲＩＢが０Ｖに到達する。このため、ＰＷＭ信号ＰＷＭＩＮがＬレベルを維持する期間ｄの中央のサンプリング点を境に、三角波信号ＴＲＩＢおよびＴＲＩＣの大小関係がＴＲＩＢ＞ＴＲＩＣからＴＲＩＢ＜ＴＲＩＣに切り換わり、パルスＰＥがＨレベルからＬレベルに切り換わる。
このようにパルスＰＥは、ＰＷＭ信号ＰＷＭＩＮのデューティ比とは無関係に、ＰＷＭ信号ＰＷＭＩＮがＬレベルを維持する期間の中央のサンプリング点においてレベル反転するパルスとなる。
【００２５】
ＸＮＲゲート１３０は、ＰＷＭ信号ＰＷＭＩＮがＨレベルを維持する期間の中央のサンプリング点においてレベル反転するパルスＰＤと、ＰＷＭ信号ＰＷＭＩＮがＬレベルを維持する期間の中央のサンプリング点においてレベル反転するパルスＰＥのレベルが一致するときに同期信号ＳＹＮＣをＨレベルとし、一致しないときに同期信号ＳＹＮＣをＬレベルとする。この結果、同期信号ＳＹＮＣは、ＰＷＭ信号ＰＷＭＩＮがＨレベルを維持する期間の中央のサンプリング点およびＰＷＭ信号ＰＷＭＩＮがＬレベルを維持する期間の中央のサンプリング点の両方においてレベル反転するパルスとなる。本実施形態では、この同期信号ＳＹＮＣが再変調回路２００の三角波発生回路２０２に供給される。
【００２６】
再変調回路２００において、ＰＷＭ回路２０３が三角波発生回路２０２からの三角波信号とのレベル比較に用いるアナログ信号は、ＰＷＭ信号ＰＷＭＩＮのサンプリング点の間隔に対応した周波数の雑音を含んでいる。このため、ＰＷＭ回路２０３がＰＷＭ信号ＰＷＭＯＵＴを発生するのに用いる三角波信号が、このＰＷＭ信号ＰＷＭＩＮと同期していないと、ＰＷＭ信号ＰＷＭＯＵＴにビートが発生する。しかしながら、本実施形態では、同期信号発生回路１００がＰＷＭ信号ＰＷＭＩＮのサンプリング点に同期した同期信号ＳＹＮＣを出力する。そして、再変調回路２００の三角波発生回路２０２は、例えば三角波発生部１１０Ａ等と同様な構成により、ＰＷＭ信号ＰＷＭＩＮのサンプリング点に同期した同期信号ＳＹＮＣのエッジにおいてピークとなる三角波信号を発生し、ＰＷＭ回路２０３はこの三角波信号を用いてＰＷＭ信号ＰＷＭＯＵＴを生成する。従って、ＰＷＭ信号ＰＷＭＯＵＴにビートが発生するのを防止することができる。
【００２７】
以上説明したように、本実施形態によれば、前段のＰＷＭ回路からＰＷＭ信号ＰＷＭＩＮの同期信号が供給されない状況でも、ＰＷＭ信号ＰＷＭＩＮから同期信号ＳＹＮＣを発生することができる。従って、ビートの発生という不具合を生じさせることなく、ＰＷＭ信号ＰＷＭＩＮのパルス幅を一律に拡張または縮小する操作等を行うことが可能となる。
【００２８】
以上、この発明の実施形態を説明したが、この発明には、他にも各種の実施形態が考えられる。例えば次の通りである。
（１）上記実施形態では、第１のレベル遷移を立ち上がりエッジ、第２のレベル遷移を立ち下がりエッジとしたが、第１のレベル遷移を立ち下がりエッジ、第２のレベル遷移を立ち上がりエッジとしてもよい。
（２）上記実施形態において、ＸＮＲゲート１３０をＸＯＲゲートに置き換えてもよい。
（３）上記実施形態は、ＰＷＭ信号ＰＷＭＩＮに発生する第１のレベル遷移の周期と第２のレベル遷移の周期がＰＷＭ信号ＰＷＭＩＮのサンプリング周期からずれないことを前提としている。そして、ＰＷＭ信号ＰＷＭＩＮを発生するのに用いるアナログ信号の波形に急激な変化が生じない状況では、この前提がほぼ成立するため、ＰＷＭ信号ＰＷＭＩＮに正確に同期した同期信号ＳＹＮＣが得られる。しかし、ＰＷＭ信号ＰＷＭＩＮを発生するのに用いるアナログ信号の波形に急激な変化が生じる場合には、その結果発生するＰＷＭ信号ＰＷＭＩＮの第１のレベル遷移の周期と第２のレベル遷移の周期がＰＷＭ信号ＰＷＭＩＮのサンプリング周期から一時的にずれることがある。このような第１のレベル遷移の周期と第２のレベル遷移の周期のずれを補償するために、例えば同期信号ＳＹＮＣをＰＬＬ（Phase Locked Loop；位相同期ループ）に与え、同期信号ＳＹＮＣの周期変動を緩和した同期信号をＰＬＬにより生成して再変調回路２００に供給してもよい。
【符号の説明】
【００２９】
１００……同期信号発生回路、１０１……三角波発生回路、１２１，１２２……コンパレータ、１３０……ＸＮＲゲート、１０２，１０３……分周器、１１０Ａ，１１０Ｂ，１１０Ｃ……三角波発生部、１１１，１１４……スイッチ、１１２，１１３……定電流源、１１５……キャパシタ、２００……再変調回路、２０１……復調回路、２０２……三角波発生回路、２０３……ＰＷＭ回路。
【図１】
2010283627.tif 000003
【図２】
2010283627.tif 000004
【図３】
2010283627.tif 000005